(57)【要約】【課題】  充電スポットの予約を分散して効率的に利用できる充電スポットの予約システムを提供する。【解決手段】  充電対象車両を特定する充電車両特定部１１ｂと、出発位置、予定充電期間及び距離範囲を含む予約条件を設定する予約条件取得部１１ｃと、出発位置から充電スポット２までの移動距離が距離範囲内であり、予定充電期間内に予約可能な予約対象時間帯がある充電スポット２を提示対象充電スポットとする充電スポット特定部１１ｄと、料金テーブルに基づいて充電料金を算出する料金算出部１１ｅと、充電対象車両別、提示対象充電スポットの充電器群Ｇ別、予約対象時間帯別に、充電料金を含む提示情報を生成し、提示情報を並び替えてユーザ端末３上で表示する表示部１１ｆと、ユーザ端末３からのデータに基づいて提示情報を特定して予約情報を生成し記憶して予約設定処理を実行する予約設定部１１ｇを備える。【選択図】        図１
2012226625.tif 000002
【特許請求の範囲】
【請求項１】
蓄電池を備えた車両に対し電力を供給可能な１または複数の充電器を備えた複数の充電スポットから、任意の前記充電スポットを選択して予約を実行する充電スポットの予約システムであって、
前記充電スポット別に、前記充電スポットの位置を示す第１位置情報、前記充電器別の充電能力情報、所定の変動条件別に設定された料金テーブルを含む充電スポット情報を記憶する充電スポット情報ＤＢと、
所定位置から前記充電スポットまでの距離を算出するための道路情報を記憶する道路情報ＤＢと、
前記充電能力の同じ１または複数の前記充電器からなる充電器群別に、予約しているユーザ、充電時間帯及び充電料金を含む予約情報を記憶する予約情報ＤＢと、
前記車両の充電の予約を依頼するユーザのユーザ端末とデータ通信を行う第１通信手段と、
コンピュータのデータ処理により、予約設定処理を行う演算処理手段と、を備え、
前記演算処理手段が、
前記ユーザ端末からのデータに基づいて、充電を行う前記車両を特定して充電対象車両とする充電車両特定部と、
前記ユーザ端末からのデータに基づいて、前記充電対象車両の出発位置を示す第２位置情報、充電を行う予定充電期間を指定する時間条件、及び、前記充電対象車両から前記充電スポットまでの距離範囲を指定する距離条件を含む予約条件を設定する予約条件取得部と、
前記第１位置情報、前記第２位置情報及び前記道路情報に基づいて、前記出発位置から前記充電スポットまでの移動距離を算出し、前記移動距離が前記距離範囲内である前記充電スポットを提示対象充電スポットとして特定し、前記予約情報に基づいて、前記提示対象充電スポットの前記充電器群の夫々について、前記予定充電期間内にある前記予約可能な時間帯を予約対象時間帯として特定し、前記予約対象時間帯の特定された前記充電器群のない前記充電スポットを前記提示対象充電スポットから除外する充電スポット特定部と、
前記充電対象車両別に、前記提示対象充電スポットの前記充電器群の夫々について、前記予約対象時間帯別に、前記料金テーブルに基づいて、前記充電料金を算出する料金算出部と、
前記充電対象車両別に、前記提示対象充電スポットの前記充電器群の夫々について、前記予約対象時間帯別に前記充電料金を含む提示情報を生成し、前記ユーザ端末からのデータに基づいて前記提示情報を並び替え、並び替えた順に前記提示情報を前記ユーザ端末上で表示するための表示データを生成し、前記ユーザ端末に出力する表示部と、
前記ユーザ端末からのデータに基づいて、前記提示情報を特定し、特定した前記提示情報に基づいて前記予約情報を生成し前記予約情報ＤＢに記憶して前記予約設定処理を実行する予約設定部を備えることを特徴とする充電スポットの予約システム。
【請求項２】
前記変動条件が、前記充電器群の前記充電能力、時間帯、季節、所定のサービス内容の少なくとも何れか１つであることを特徴とする請求項１に記載の充電スポットの予約システム。
【請求項３】
前記表示部が、前記ユーザ端末からのデータに基づいて、前記充電料金の低い順、前記移動距離が短い順、または、前記提示対象充電スポットのサービス内容の少なくとも何れか１つに基づいて、前記提示情報の並び替えを行うことを特徴とする請求項１または２に記載の充電スポットの予約システム。
【請求項４】
前記予約条件取得部が、前記予約条件として、更に、充電を行う前記充電スポットを指定する充電スポット条件を取得するように構成され、
前記充電スポット特定部が、前記提示対象充電スポットの内、前記充電スポット条件を満たさない前記充電スポットを、前記提示対象充電スポットから除外することを特徴とする請求項１〜３の何れか１項に記載の充電スポットの予約システム。
【請求項５】
前記予約条件取得部が、前記時間条件の前記予定充電期間が指定されない場合に、前記予定期間を予め設定された基準期間に設定し、前記距離条件の前記距離範囲が指定されない場合に、前記距離範囲を予め設定された基準距離範囲に設定することを特徴とする請求項１〜４の何れか１項に記載の充電スポットの予約システム。
【請求項６】
前記第１通信手段が、前記充電スポットの管理を行う充電スポット管理装置とデータ通信可能に構成され、
前記演算処理手段が、前記充電スポット管理装置からのデータに基づいて、前記充電スポット情報ＤＢに記憶された前記料金テーブルの設定及び更新を行うことを特徴とする請求項１〜５の何れか１項に記載の充電スポットの予約システム。
【請求項７】
蓄電池を備えた車両に対し電力を供給可能な１または複数の充電器を備えた充電スポットの管理を行う充電スポット管理装置であって、
前記料金テーブルを設定する料金テーブル設定手段と、
前記料金テーブル設定手段により設定した前記料金テーブルを、請求項６に記載の充電スポットの予約システムに送信する第２通信手段と、を備えることを特徴とする充電スポット管理装置。
【発明の詳細な説明】
【技術分野】
【０００１】
本発明は、蓄電池を備えた車両に対し電力を供給可能な１または複数の充電器を備えた複数の充電スポットから、任意の充電スポットを選択して予約を実行する充電スポットの予約システムに関する。
【背景技術】
【０００２】
近年、家庭用電源や充電スポットから蓄電池に充電可能なプラグインハイブリッドカー（ＥＶ／ＰＨＶ）等、蓄電池に充電された電力を動力とする電気自動車の普及が進んでいる。
【０００３】
電気自動車は、蓄電池の残量が少なくなると、家庭用電源や充電スポットで蓄電池の充電を行う必要があるが、充電を支援する技術としては、例えば、蓄電池の残量が閾値以下になり、且つ、目的地に到達するまでに必要な容量を下回る場合に、近隣の充電スポットを検索するナビゲーションシステムがある。
【０００４】
また、充電を支援する他の技術としては、例えば、充電池から供給される電力により動作する電子機器において、充電池の残量が所定の閾値以下になった場合に予約処理信号を出力し、予約処理信号を受け付けたシステムが、充電装置の予約を行う充電サービスシステムが開示されている（例えば、特許文献１参照）。
【０００５】
ところで、蓄電池の残量が閾値以下になった場合に、近隣の充電スポットを検索するナビゲーションシステムにおいても、充電池の残量が閾値以下になった場合に予約を行う充電サービスシステムを電気自動車に適用した場合であっても、充電を行うか否かの判定は、電気自動車の利用中に行われることになる。一般的に、電気自動車を含む車両の利用は、夜間より日中が多いと考えられるため、上述した各システムを利用する場合、充電スポットの利用が日中に集中する可能性が高いと考えられる。
【０００６】
ここで、充電スポットにおける蓄電池への充電は、車両に搭載された蓄電池の容量や外気温等に影響されるが、例えば、２０ｋＷの急速充電器を使用する場合、８０％まで充電するのに３０分程度必要となり、ガソリンを燃料とするガソリン自動車の給油時間に比べ、比較的充電時間が長くなる。電気自動車１台当たりの利用時間が長いことから、充電スポットの利用が日中等の特定の時間帯に集中すると、待ち時間が相当長くなる可能性がある等、電気自動車のユーザの利便性を損なう可能性がある。更に、充電スポットの利用が日中に集中すると、電力会社の負荷が大きくなるという問題がある。
【０００７】
これに対し、携帯電話やｉＰａｄから、予約状況の確認及び予約申し込みを行う充電スポットの予約システムが開示されている（例えば、非特許文献１参照）。当該充電スポットの予約システムでは、予約を行うユーザに対し空き状況や待ち時間等の予約状況を提示するものであり、ユーザが、予約時に予約状況を確認して予約申し込みを行うことができるので、充電スポットの混雑を回避して待ち時間が長くなるのを効果的に防止できる。
【先行技術文献】
【特許文献】
【０００８】
【特許文献１】特開２００３−３４８７５７号公報
【非特許文献】
【０００９】
【非特許文献１】［online］、兼松コミュニケーションズ株式会社、［平成２３年３月１８日検索］、インターネット〈ＵＲＬ：http://www.kanematsu.co.jp/LinkClick.aspx?fileticket=d9htLwXbufE%3d&tabid=36&mid=435〉
【発明の概要】
【発明が解決しようとする課題】
【００１０】
しかしながら、上記充電スポットの予約システムにおいても、利便性の良い日中での予約希望ユーザが多くなり、所望の時間帯に予約が行えなくなる可能性がある。更に、ガソリンスタンドのように、充電スポットにおいても、充電スポット毎に料金が異なることも考えられるが、上述した充電スポットの予約システムでは料金までは確認できない。
【００１１】
本発明は上記の問題に鑑みてなされたものであり、その目的は、電気自動車のユーザの利便性を損なうことなく、充電スポットの予約を分散して効率的に利用できる充電スポットの予約システムを提供する点にある。
【課題を解決するための手段】
【００１２】
上記目的を達成するための本発明に係る充電スポットの予約システムは、蓄電池を備えた車両に対し電力を供給可能な１または複数の充電器を備えた複数の充電スポットから、任意の前記充電スポットを選択して予約を実行する充電スポットの予約システムであって、前記充電スポット別に、前記充電スポットの位置を示す第１位置情報、前記充電器別の充電能力情報、所定の変動条件別に設定された料金テーブルを含む充電スポット情報を記憶する充電スポット情報ＤＢと、所定位置から前記充電スポットまでの距離を算出するための道路情報を記憶する道路情報ＤＢと、前記充電能力の同じ１または複数の前記充電器からなる充電器群別に、予約しているユーザ、充電時間帯及び充電料金を含む予約情報を記憶する予約情報ＤＢと、前記車両の充電の予約を依頼するユーザのユーザ端末とデータ通信を行う第１通信手段と、コンピュータのデータ処理により、予約設定処理を行う演算処理手段と、を備え、前記演算処理手段が、前記ユーザ端末からのデータに基づいて、充電を行う前記車両を特定して充電対象車両とする充電車両特定部と、前記ユーザ端末からのデータに基づいて、前記充電対象車両の出発位置を示す第２位置情報、充電を行う予定充電期間を指定する時間条件、及び、前記充電対象車両から前記充電スポットまでの距離範囲を指定する距離条件を含む予約条件を設定する予約条件取得部と、前記第１位置情報、前記第２位置情報及び前記道路情報に基づいて、前記出発位置から前記充電スポットまでの移動距離を算出し、前記移動距離が前記距離範囲内である前記充電スポットを提示対象充電スポットとして特定し、前記予約情報に基づいて、前記提示対象充電スポットの前記充電器群の夫々について、前記予定充電期間内にある前記予約可能な時間帯を予約対象時間帯として特定し、前記予約対象時間帯の特定された前記充電器群のない前記充電スポットを前記提示対象充電スポットから除外する充電スポット特定部と、前記充電対象車両別に、前記提示対象充電スポットの前記充電器群の夫々について、前記予約対象時間帯別に、前記料金テーブルに基づいて、前記充電料金を算出する料金算出部と、前記充電対象車両別に、前記提示対象充電スポットの前記充電器群の夫々について、前記予約対象時間帯別に前記充電料金を含む提示情報を生成し、前記ユーザ端末からのデータに基づいて前記提示情報を並び替え、並び替えた順に前記提示情報を前記ユーザ端末上で表示するための表示データを生成し、前記ユーザ端末に出力する表示部と、前記ユーザ端末からのデータに基づいて、前記提示情報を特定し、特定した前記提示情報に基づいて前記予約情報を生成し前記予約情報ＤＢに記憶して前記予約設定処理を実行する予約設定部を備えることを特徴とする。
【００１３】
更に好ましくは、上記特徴の充電スポットの予約システムは、前記変動条件が、前記充電器群の前記充電能力、時間帯、季節、所定のサービス内容の少なくとも何れか１つである。
【００１４】
更に好ましくは、上記何れかの特徴の充電スポットの予約システムは、前記表示部が、前記ユーザ端末からのデータに基づいて、前記充電料金の低い順、前記移動距離が短い順、または、前記提示対象充電スポットのサービス内容の少なくとも何れか１つに基づいて、前記提示情報の並び替えを行う。
【００１５】
更に好ましくは、上記何れかの特徴の充電スポットの予約システムは、前記予約条件取得部が、前記予約条件として、更に、充電を行う前記充電スポットを指定する充電スポット条件を取得するように構成され、前記充電スポット特定部が、前記提示対象充電スポットの内、前記充電スポット条件を満たさない前記充電スポットを、前記提示対象充電スポットから除外する。
【００１６】
更に好ましくは、上記何れかの特徴の充電スポットの予約システムは、前記予約条件取得部が、前記時間条件の前記予定充電期間が指定されない場合に、前記予定期間を予め設定された基準期間に設定し、前記距離条件の前記距離範囲が指定されない場合に、前記距離範囲を予め設定された基準距離範囲に設定する。
【００１７】
更に好ましくは、上記何れかの特徴の充電スポットの予約システムは、前記第１通信手段が、前記充電スポットの管理を行う充電スポット管理装置とデータ通信可能に構成され、前記演算処理手段が、前記充電スポット管理装置からのデータに基づいて、前記充電スポット情報ＤＢに記憶された前記料金テーブルの設定及び更新を行う。
【００１８】
上記目的を達成するための本発明に係る充電スポット管理装置は、蓄電池を備えた車両に対し電力を供給可能な１または複数の充電器を備えた充電スポットの管理を行う充電スポット管理装置であって、前記料金テーブルを設定する料金テーブル設定手段と、前記料金テーブル設定手段により設定した前記料金テーブルを、上記特徴の充電スポットの予約システムに送信する第２通信手段と、を備えることを特徴とする。
【発明の効果】
【００１９】
上記特徴の充電スポットの予約システムでは、変動条件別に設定された料金テーブルを設定して充電スポット別・充電器または充電器群別に料金を算出し、ユーザに提示するように構成したので、例えば、夜間は、一般的に、予約が少ないと考えられることから、夜間の料金を低く設定することで、充電スポットの予約を分散させる効果が期待できる。これにより、日中等、特定の時間帯に利用者が集中して、待ち時間が長くなったり、電力会社の負荷が大きくなったりするのをより効果的に回避できる。
【００２０】
また、充電器を設置する充電スポットが店舗等に併設されている場合、店舗が独自に太陽光発電システム等の設備を備えている場合や、当該店舗のサービスによって、充電能力が同じ充電器であっても、料金が異なることが考えられる。上記特徴の充電スポットの予約システムでは、変動条件別に設定された料金テーブルを設定して充電スポット別・充電器または充電器群別に料金を算出し、ユーザに提示するように構成したので、店舗の設備状況やサービス内容を料金テーブルに反映させれば、店舗側の利便性を向上させることが可能になる。
【００２１】
更に、上記特徴の本発明に係る充電スポットの予約システムにおいて、充電器または充電器群の充電能力に応じた料金テーブルを設定することにより、例えば、高出力で充電時間が短いが初期投資の大きい充電器については、料金が高くなるように設定することで、高出力の充電器に利用が集中するのを防止できる。
【００２２】
また、上記特徴の本発明に係る充電スポット管理装置から、上記特徴の本発明に係る充電スポットの予約システムの料金テーブルを設定可能に構成することにより、各充電スポットの利用状況に応じた料金設定を行うことが可能になり、より、利用分散効果が期待できる。
【図面の簡単な説明】
【００２３】
【図１】本発明に係る充電スポットの予約システムと充電スポット、ユーザ端末の接続関係の一例を示す概略ブロック図である。
【図２】本発明に係る充電スポット管理サーバの概略構成例を示す概略ブロック図である。
【図３】料金テーブルの一例を示す表である。
【図４】本発明に係る充電スポットの予約システムの構成例を示す概略ブロック図である。
【図５】本発明に係る充電スポットの予約システムの処理手順の一例を示すフローチャートである。
【図６】予約条件入力画面の一例を示す概略ブロック図である。
【図７】提示情報表示画面の一例を示す概略ブロック図である。
【図８】提示情報表示画面の一例を示す概略ブロック図である。
【図９】提示情報表示画面の一例を示す概略ブロック図である。
【発明を実施するための形態】
【００２４】
以下、本発明に係る充電スポットの予約システム（以下、適宜「本発明システム」と略称する）の実施形態を図面に基づいて説明する。
【００２５】
本発明システムの実施形態について、図１〜図９を基に説明する。
【００２６】
本発明システム１は、蓄電池を備えた車両４に対し電力を供給可能な１または複数の充電器を備えた複数の充電スポット２から、任意の充電スポット２を選択して予約を実行するシステムであり、複数の充電スポット２の夫々に設置された充電スポット管理サーバ２０、及び、車両４の充電の予約を依頼するユーザのユーザ端末３と通信ネットワーク５を介してデータ通信可能に構成されている。
【００２７】
ここで、図１は、本発明システム１、充電スポット２、ユーザ端末３及び車両４の概略構成と接続関係の一例を示している。
【００２８】
各充電スポット２には、充電スポット２の管理を行う充電スポット管理サーバ２０、太陽光発電システム等の発電設備２４、蓄電設備２５、及び、蓄電池を備えた車両４に対し電力を供給する電力供給設備である急速充電器ＣＮ、ＣＨを複数備えて構成されている。尚、図１では、説明のために、充電スポット２が、２０ｋＷの急速充電器ＣＮｘ台（ｘは任意の整数）からなる充電器群Ｇ１と、５０ｋＷの急速充電器ＣＨｙ台（ｙは任意の整数）からなる充電器群Ｇ２を備える場合について図示している。また、充電スポット２は、コンビニエンスストア等の店舗や、ガソリンスタンドに併設される場合、或いは、独立して設置される場合を想定している。
【００２９】
充電スポット管理サーバ２０は、図２に示すように、コンピュータのデータ処理により、充電スポット２の各設備の管理を行う演算処理手段２１と、各種ＤＢが構築されたハードディスク等の不揮発性記憶装置、及び、演算処理手段２１における演算結果を一時的に記憶するＲＡＭ等で構成された記憶手段２２と、通信ネットワーク５を介して本発明システム１とデータ通信を行う通信手段２３を備えている。
【００３０】
充電スポット管理サーバ２０の演算処理手段２１は、蓄電設備の蓄電電力量の管理を行う蓄電設備管理部２１ａと、料金テーブルを設定する料金テーブル設定部２１ｂと、本発明システム１の予約情報ＤＢ１２ｃから、当該充電スポット管理サーバ２０の管理する充電スポット２に設置された充電器群Ｇの予約情報を取得する予約情報取得部２１ｃと、充電を行ったユーザに対する課金を行う課金管理部２１ｄを備えて構成されている。
【００３１】
尚、本実施形態では、予約情報取得部２１ｃは、車両４の充電開始時だけでなく、任意に、予約情報を取得可能に構成されている。このように構成することにより、充電スポット２側において、予約状況を考慮しながら、料金テーブルを任意に変更することが可能になる。具体的には、予約が少ない時間帯の料金を安くする等して、充電器ＣＮ、ＣＨの稼働率を上げることが考えられる。
【００３２】
より具体的には、料金テーブル設定部２１ｂは、ここでは、変動条件として、充電器群Ｇの充電能力、時間帯、季節が設定されている。ここで、図３は、料金テーブルの一例を示しており、２０ｋＷの充電器群Ｇ１と５０ｋＷの充電器群Ｇ２の夫々について、基本料金と時間帯別・季節別の料金単価を設定している。尚、基本料金以外の料金は、利用時間に応じた料金設定となっている。また、ここでは、２０ｋＷの充電器群Ｇ１の料金を基準として、５０ｋＷの充電器群Ｇ２の料金を、２０ｋＷの充電器群Ｇ１の料金の１．２倍に設定している。尚、料金テーブルは、各充電スポット２が独自に変動条件を設定可能であり、充電能力や時間帯、季節の他、例えば、会員料金（割引料金）を別途設定する等しても良い。更に、電力の転売が認められた場合には、電力料金の設定を料金テーブルに反映させても良い。
【００３３】
ユーザ端末３は、携帯電話機やカーナビ等を想定しており、予約操作に必要な入力手段及び表示手段を備え、通信ネットワーク５を介して本発明システム１とデータ通信可能に構成されている。また、本実施形態では、ユーザ端末３がＧＰＳ機能を備えている場合を想定して説明する。尚、ユーザ端末３としては、ＰＣ等、他の端末やＧＰＳ機能を備えない端末であっても良い。
【００３４】
本発明システム１は、各種ＤＢが構築されたハードディスク等の不揮発性記憶装置、及び、演算処理手段１１における演算結果を一時的に記憶するＲＡＭ等で構成された記憶手段１２と、車両４の充電の予約を依頼するユーザのユーザ端末３とデータ通信を行う第１通信手段１３と、コンピュータのデータ処理により、予約設定処理を行う演算処理手段１１と、を備えて構成されている。ここで、図４は、本発明システム１の概略構成例を示している。
【００３５】
記憶手段１２は、図４に示すように、充電スポット２別に、充電スポット２の位置を示す第１位置情報、充電器別の充電能力情報、充電器群Ｇ別の充電器数、所定の変動条件別に設定された料金テーブルを含む充電スポット情報を記憶する充電スポット情報ＤＢ１２ａと、所定位置から充電スポット２までの距離を算出するための道路情報を記憶する道路情報ＤＢ１２ｂと、充電能力の同じ１または複数の充電器からなる充電器群Ｇ別に、予約しているユーザ、充電時間帯及び充電料金を含む予約情報を記憶する予約情報ＤＢ１２ｃと、ユーザ別に、ユーザＩＤ、パスワード等の認証情報、氏名、住所、料金の支払い方法、所有する車両４の種別（メーカー、車種及び型式）を記憶したユーザ情報ＤＢ１２ｄを備えている。
【００３６】
第１通信手段１３は、本実施形態では、ユーザ端末３だけでなく、充電スポット管理サーバ２０とデータ通信可能に構成されている。より具体的には、第１通信手段１３は、充電スポット管理サーバ２０から予約情報の取得要求があった場合に、予約情報取得部２１ｃに対し予約情報を送信するように構成されている。また、第１通信手段１３は、充電スポット管理サーバ２０から料金テーブルの設定要求があった場合に、料金テーブル設定部２１ｂが設定した料金テーブルを受け付けるように構成されている。
【００３７】
演算処理手段１１は、図４に示すように、ユーザ端末３からのデータに基づいて、充電を行う車両４を特定して充電対象車両とする充電車両特定部１１ｂと、ユーザ端末３からのデータに基づいて、充電対象車両の出発位置を示す第２位置情報、充電を行う予定充電期間を指定する時間条件、及び、充電対象車両から充電スポット２までの距離範囲を指定する距離条件を含む予約条件を設定する予約条件取得部１１ｃと、第１位置情報、第２位置情報及び道路情報に基づいて、出発位置から充電スポット２までの移動距離を算出し、移動距離が距離範囲内である充電スポット２を提示対象充電スポットとして特定し、予約情報に基づいて、提示対象充電スポットの充電器群Ｇの夫々について、予定充電期間内にある予約可能な時間帯を予約対象時間帯として特定し、予約対象時間帯の特定された充電器群Ｇのない充電スポット２を提示対象充電スポットから除外する充電スポット特定部１１ｄと、充電対象車両別に、提示対象充電スポットの充電器群Ｇの夫々について、予約対象時間帯別に、料金テーブルに基づいて、充電料金を算出する料金算出部１１ｅと、充電対象車両別に、提示対象充電スポットの充電器群Ｇの夫々について、予約対象時間帯別に充電料金を含む提示情報を生成し、ユーザ端末３からのデータに基づいて提示情報を並び替え、並び替えた順に提示情報をユーザ端末３上で表示するための表示データを生成し、ユーザ端末３に出力する表示部１１ｆと、ユーザ端末３からのデータに基づいて、提示情報を特定し、特定した提示情報に基づいて予約情報を生成し予約情報ＤＢ１２ｃに記憶して予約設定処理を実行する予約設定部１１ｇを備えて構成されている。本実施形態の演算処理手段１１は、更に、車両４の充電の予約を依頼するユーザの情報を取得するユーザ情報取得部１１ａを備えている。
【００３８】
更に、本実施形態の演算処理手段１１は、充電スポット管理サーバ２０から予約情報の取得要求があった場合に、予約情報の取得要求を行った充電スポット管理サーバ２０に対応する予約情報を予約情報ＤＢ１２ｃから取得し、第１通信手段１３を介して当該充電スポット管理サーバ２０に対して送信する。また、演算処理手段１１は、充電スポット管理サーバ２０から料金テーブルの設定要求があり、第１通信手段１３が充電スポット管理サーバ２０から料金テーブルを受け付けた場合に、受け付けた料金テーブルを、充電スポット管理サーバ２０が管理する充電スポット２の充電器群Ｇと対応付けて、充電スポット情報ＤＢ１２ａに記憶するように構成されている。
【００３９】
続いて、本発明システム１の処理手順について、図５を基に説明する。ここで、図５は、本発明システム１の処理手順を示すフローチャートである。
【００４０】
尚、本実施形態では、説明のため、車両４の充電の予約を依頼するユーザが、予め、氏名、住所、料金の支払い方法、所有する車両４のメーカーや、車種及び型式等の種別を登録しており、ユーザＩＤ及びパスワード等の認証情報が設定されている場合を想定して説明するが、予約実行毎に、適宜必要な情報を入力するように構成しても良い。
【００４１】
また、本実施形態では、簡単のために、充電能力が２０ｋＷの充電器群Ｇ１については、８０％の充電時間が３０分程度であることから、充電を行う時間帯を４５分間隔に設定し、充電能力が５０ｋＷの充電器群Ｇ２については、８０％の充電時間が１５分程度であることから、充電を行う時間帯を３０分間隔に設定している場合を想定している。尚、各時間帯の設定は他の設定であっても良いし、ユーザが分単位で任意に設定できるようにしても良い。更に、充電対象車両の蓄電池の容量及び残量、充電スポット２の周辺環境（温度等）等、充電時間を算出するのに必要な各種パラメータを取得して、予測充電時間を算出し、当該予測充電時間を考慮した期間を設定できるように構成しても良い。
【００４２】
車両４の充電の予約を依頼するユーザが、ユーザ端末３上で充電スポット２を予約するためのアプリケーションを実行すると、先ず、ユーザの認証情報としてユーザＩＤ及びパスワードの入力欄を含む画面がユーザ端末３上に表示される（図示せず）。ユーザが、ユーザＩＤ及びパスワードを入力すると、ユーザ端末３により、本発明システム１に当該ユーザＩＤ及びパスワードが送信される（ステップ＃１０１）。本発明システム１は、ユーザ端末３から送信されたユーザＩＤ及びパスワードがユーザ情報ＤＢ１２ｄに登録されている場合は、ユーザを認証する。ユーザＩＤ及びパスワードが登録されていない場合は、再入力を行うための画面を表示する。
【００４３】
本発明システム１は、ユーザが認証されると、充電車両特定部１１ｂが、ユーザ情報ＤＢ１２ｄを検索してユーザの所有する車両４の情報を取得する。更に、表示部１１ｆが、ユーザの所有する車両４の夫々について充電を行うか否かを選択する車両選択欄、及び、登録されていない車両４のメーカー、車種及び型式を入力する入力欄を備えた車両選択画面をユーザ端末３上に表示し（図示せず）、ユーザ端末３上で選択された車両４、及び、入力欄に入力された車両４を充電対象車両として特定する（ステップ＃２０２）。尚、充電対象車両は複数であっても良い。
【００４４】
引き続き、表示部１１ｆが、予定充電期間、充電対象車両から充電スポット２までの距離範囲、及び、充電対象車両の出発位置を取得するための予約条件入力画面をユーザ端末３上に表示する（ステップ＃２０３）。ここで、図６は、予約条件入力画面の一例を示している。図６では、予約充電期間の設定として、任意に日時を指定可能な「予約日時の設定」と、走行中に蓄電池の容量が少なくなった場合等、できるだけ早い時間帯を希望する場合に指定する「空いている時間で予約」の２つのチェックボックスが設けられている。また、図６では、距離範囲を設定する選択欄が設けられており、例えば、１０ｋｍ、２０ｋｍ、指定無し等が選択できるように構成されている。更に、図６では、出発位置の設定として、「現在地」と「目的地」の２つのチェックボックスが設けられている。尚、「目的地」の入力欄には、予め、ユーザ情報ＤＢ１２ｄからユーザの住所を取得して、表示するように構成しても良い。また、ユーザ端末３がＧＰＳ機能を備えない端末の場合、目的地の入力欄のみ表示するように構成しても良い。
【００４５】
また、本実施形態では、予定充電期間、距離範囲及び出発位置の各条件を同じ画面上に表示したが、夫々異なる画面上で構成しても良い。また、携帯電話機や、ＰＣ等、ユーザ端末３により、異なる画面を表示するように構成しても良い。
【００４６】
引き続き、ユーザ端末３は、予約条件入力画面に予約条件が入力されると、入力された予約条件を本発明システム１に送信する（ステップ＃１０２）。尚、本実施形態では、図６に示す予約条件入力画面において、出発位置として「現在地」が選択された場合は、ＧＰＳ機能を利用して現在地の情報を取得し、本発明システム１に入力内容と共に送信する。
【００４７】
ユーザ端末３から予約条件が送信されると、本発明システム１の予約条件取得部１１ｃが、予約条件の設定を行う（ステップ＃２０４）。ここで、例えば、図６に示す予約条件入力画面において、予約充電期間の設定について「予約日時を設定」が選択された場合は、入力された期間を予約充電期間として設定し、「空いている時間で予約」が選択された場合は、予め設定された基準期間、例えば、現在の時刻から３時間後までを予約充電期間として設定する。また、例えば、図６に示す予約条件入力画面において、距離範囲が指定されない場合は、予め設定された基準距離範囲、例えば、１０ｋｍを距離範囲とし、距離が入力された場合は、入力された距離を距離範囲に設定する。
【００４８】
引き続き、充電スポット特定部１１ｄは、予約条件を満たす充電スポット２の検索を行う（ステップ＃２０５）。具体的には、先ず、第１位置情報、第２位置情報及び道路情報に基づいて、充電スポット２別に、出発位置から充電スポット２までの移動距離を算出する。尚、ここでの移動距離は、直線距離ではなく、道路情報ＤＢ１２ｂに記憶された道路情報から得られる充電スポット２までの経路の長さを求める。充電スポット特定部１１ｄは、算出された移動距離が距離範囲内である充電スポット２を提示対象充電スポットとして特定する。続いて、充電スポット特定部１１ｄは、予約情報ＤＢ１２ｃに記憶された予約情報に基づいて、提示対象充電スポットの充電器群Ｇの夫々について、予定充電期間内にある予約可能な時間帯を予約対象時間帯として特定する。更に、充電器群Ｇの全てにおいて、予定充電期間内に予約対象時間帯が特定されない充電スポット２については、提示対象充電スポットから除外する。
【００４９】
ここで、提示対象充電スポットが特定されない場合は（ステップ＃２６でＮＯ分岐）、ユーザ端末３上に、充電スポット２が検索されない旨のメッセージを表示し、再度、表示部１１ｆが、予約条件取得画面の表示を行う（ステップ＃２０３）。
【００５０】
提示対象充電スポットが特定された場合は（ステップ＃２６でＹＥＳ分岐）、料金算出部１１ｅが、充電対象車両別に、提示対象充電スポットの充電器群Ｇの夫々について、予約対象時間帯別に、料金テーブルに基づいて、充電料金を算出する（ステップ＃２０７）。料金算出部１１ｅは、ここでは、図３に示すように、料金テーブルに基本料金と時間当たりの料金単価が設定されている場合は、充電料金＝基本料金＋予想充電時間×料金単価として算出する。尚、予想充電時間は、本実施形態では、充電器群Ｇの充電能力に応じて予め仮設定されており、２０ｋＷでは３０分（＝０．５時間）、５０ｋｗでは１５分（＝０．２５）時間とする。但し、車両４の蓄電池の残量等、予想充電時間を求めるために必要な情報を適宜取得して、予想充電時間を求める構成にしても良い。
【００５１】
引き続き、表示部１１ｆは、充電対象車両別、充電器群Ｇ別、予約対象時間帯別に、料金算出部１１ｅが算出した充電料金を含む提示情報を生成する。更に、表示部１１ｆは、前記ユーザ端末３からのデータに基づいて、提示情報を並び替え、並び替えた順に提示情報をユーザ端末３上で表示するための表示データを生成し、ユーザ端末３に出力する（ステップ＃２０８）。ユーザ端末３は、提示情報表示画面において、予約を行う提示情報が選択されると、選択結果を本発明システム１に送信する（ステップ＃１０３）。
【００５２】
ここで、図７〜図９は、ユーザ端末３上で表示された提示情報表示画面の一例を示しており、充電スポット２の検索条件、並び替え条件、及び、提示情報が表示されている。並び替え条件は、初期設定として、充電器群Ｇ別に料金の安い順に並び替える「料金の安い順」が設定されているが、充電スポット２の距離の近い順に並び替える「距離の近い順」、及び、最先の予約日時が早い順に並び替える「予約日時の早い順」を選択可能に構成されている。
【００５３】
具体的には、図７は、「料金の安い順」に提示情報を表示する場合を示している。ここで、図７（ａ）は、見やすさのために、充電スポット２及び充電器群Ｇ、料金が同じになる提示情報を集約した集約提示情報を、料金が安い順に並び替えて表示している。集約提示情報では、予約対象時間帯の内の最先の時間帯のみを表示している。このため、表示部１１ｆは、ユーザ端末３により集約提示情報が選択され本発明システム１に選択結果が送信された後、予約時間を設定するための予約時間設定画面をユーザ端末３上に表示する。尚、図７（ｂ）は、図７（ａ）で示された一番上の提示情報が選択された場合の予約時間設定画面の一例を示しており、太線枠部分が、集約提示情報に表示された料金となる時間帯を示している。ユーザ端末３は、設定された予約時間帯を本発明システム１に送信する。
【００５４】
図８（ａ）は、「距離の近い順」に表示する場合を示しており、図７に示す「料金の安い順」に表示する場合と同様に、見やすさのために、充電スポット２及び充電器群Ｇ、料金が同じになる提示情報を集約した集約提示情報を、距離の近い順に並び替えて表示している。表示部１１ｆは、ユーザ端末３により提示情報が選択され本発明システム１に選択結果が送信された後、予約時間設定画面をユーザ端末３上に表示する。尚、図８（ｂ）は、図８（ａ）で示された一番上の提示情報が選択された場合の予約時間設定画面の一例を示しており、太線枠部分が、集約提示情報に表示された料金となる時間帯を示している。ユーザ端末３は、設定された予約時間を本発明システム１に送信する。
【００５５】
図９は、「予約日時の早い順」に表示する場合を示している。尚、図９では、予約時間が並び替え条件となっていることから、提示情報の集約は行っていない。このため、予約時間設定画面の表示は行わない。
【００５６】
引き続き、本発明システム１の予約設定部１１ｇは、ステップ＃１０３でユーザ端末３から送信されたデータに基づいて、提示情報を特定し、特定した提示情報に基づいて予約情報を生成し予約情報ＤＢ１２ｃに記憶して予約設定処理を実行する（ステップ＃２０９）。尚、予約設定部１１ｇは、ステップ＃２０８で集約提示情報と予約時間のデータを受け付けた場合には、当該データから提示情報を特定し、提示情報を示すデータを受け付けた場合は、当該データが示す提示情報を特定する。予約設定部１１ｇは、提示情報から、充電スポット２、充電器群Ｇ、充電時間帯及び充電料金を特定する。予約設定部１１ｇは、提示情報から特定した情報と、予約を実行したユーザのユーザＩＤと、予約情報を特定するための予約ＩＤと、を含む予約情報を生成し、予約情報ＤＢ１２ｃに記憶する。更に、予約設定部１１ｇは、予約ＩＤと予約情報をユーザ端末３上に表示して、処理を終了する。
【００５７】
次に、充電実行時の充電スポット管理サーバ２０の処理動作について説明する。
【００５８】
ユーザは、予約情報の充電時間帯に予約した充電スポット２に行き、充電スポット管理サーバ２０に対し予約ＩＤを入力して、予約した充電器群Ｇの充電器により、車両４の充電を行う。充電スポット管理サーバ２０は、予約情報取得部２１ｃが、入力された予約ＩＤをキーとして本発明システム１の予約情報ＤＢ１２ｃを検索し、予約情報を取得する。充電スポット管理サーバ２０は、予約情報が取得されると、現在時刻と予約情報の充電時間帯の関係、充電を行う充電スポット２群の確認等を行い、充電を開始する。充電が終了すると、充電スポット管理サーバ２０は、課金管理部２１ｄが、ユーザに対し、予約情報に記憶された料金を提示して課金する。更に、充電スポット管理サーバ２０は、充電終了後、車両４の蓄電池の残量や車両４に搭載されたカーナビゲーションシステムに記憶された走行履歴等を取得して、次回充電が必要となる日時を求めてユーザに提示するように構成しても良い。
【００５９】
〈別実施形態〉
〈１〉上記実施形態では、充電スポット２が、複数の充電器群Ｇを備える場合について説明したが、これに限るものではなく、１つの充電器群Ｇで構成されていても良い。
【００６０】
〈２〉上記実施形態では、表示部１１ｆが、「料金の安い順」「距離の近い順」「予約日時の早い順」に並び替える場合について説明したが、並び替え条件はこれらに限られるものではなく、初期設定として「料金の安い順」以外の条件を選択できるように構成しても良い。
【００６１】
他の並び替え条件の例としては、例えば、充電スポット２のサービス内容がある。具体的には、ポイントサービスを行っている店舗があり、当該サービスを利用している場合、当該ポイントサービスを行っている店舗を優先的に表示するように構成しても良い。
【００６２】
更に、他の並び替え条件の例としては、例えば、過去のユーザの予約履歴を記憶しておき、例えば、特定の曜日に充電を行っている等、予約履歴の傾向から、当該曜日の時間帯を予約対象時間帯とする提示情報を優先的に表示しても良い。また、過去の実際の利用実績から、混雑が予想される時間帯については、優先順位を下げて表示するように構成しても良い。
【００６３】
〈３〉上記実施形態において、予約条件取得部１１ｃが、予約条件として、更に、充電を行う充電スポット２を指定する充電スポット２条件を取得するように構成しても良い。この場合には、充電スポット特定部１１ｄは、提示対象充電スポットの内、充電スポット２条件を満たさない充電スポット２を、提示対象充電スポットから除外するように構成する。
【００６４】
例えば、利用するクレジットカードやポイントサービス等により、所定の系列会社で運営される充電スポット２を利用したい場合等には、店舗名等を指定して、当該充電スポット２のみを提示対象充電スポットとするように構成することで、ユーザの利便性を高めることができる。
【００６５】
〈４〉本発明システム１が、ユーザ端末３から予約のキャンセルを受け付けるように構成し、予約がキャンセルされた場合に、他のユーザに通知するように構成しても良い。また、本発明システム１は、充電時間帯の開始時刻から所定の時間が経っても充電スポット管理サーバ２０から予約ＩＤが送信され充電が開始されない予約については、自動的にキャンセルするように構成しても良い。この場合は、本発明システム１は、例えば、ユーザ別に、キャンセル情報の通知条件として、充電スポット２や充電器群Ｇ、時間帯等を予め指定しておき、条件に一致する予約がキャンセルになった場合に、当該キャンセルの情報を、通知対象のユーザのユーザ端末３に送信するように構成しても良い。
【符号の説明】
【００６６】
１      本発明に係る充電スポットの予約システム
２      充電スポット
３      ユーザ端末
４      車両
５      通信ネットワーク
１１    演算処理手段
１１ａ  ユーザ情報取得部
１１ｂ  充電車両特定部
１１ｃ  予約条件取得部
１１ｄ  充電スポット特定部
１１ｅ  料金算出部
１１ｆ  表示部
１１ｇ  予約設定部
１２    記憶手段
１２ａ  充電スポット情報ＤＢ
１２ｂ  道路情報ＤＢ
１２ｃ  予約情報ＤＢ
１２ｄ  ユーザ情報ＤＢ
１３    通信手段
２０    充電スポット管理サーバ（本発明に係る充電スポット管理装置）
２１    演算処理手段
２１ａ  蓄電設備管理部
２１ｂ  料金テーブル設定部
２１ｃ  予約情報取得部
２１ｄ  課金管理部
２２    記憶手段
２３    通信手段
２４    発電設備
２５    蓄電設備
ＣＮ    急速充電器
ＣＨ    急速充電器
【図１】
2012226625.tif 000003
【図２】
2012226625.tif 000004
【図３】
2012226625.tif 000005
【図４】
2012226625.tif 000006
【図５】
2012226625.tif 000007
【図６】
2012226625.tif 000008
【図７】
2012226625.tif 000009
【図８】
2012226625.tif 000010
【図９】
2012226625.tif 000011